(57)【特許請求の範囲】
【請求項１】
各々異なる画像を撮像してネットワーク上に配信する複数の撮像装置と、
複数の撮像画像を切り替えて表示する場合に、切り替え対象の複数の撮像画像各々に対応する撮像装置を設定可能な複数の表示装置と、
前記複数の表示毎に設定され、前記複数の撮像装置で撮像された撮像画像を表示させる順番を予め定めているスクロールリストに基づいて、各撮像装置が登録されているスクロールリストの数を算出する算出部と、
前記算出部で算出された数のうち、最大の数に対応する特定の撮像装置を含むスクロールリストをグループ化し、該グループ内で前記特定の撮像装置のスクロールタイミングをスクロールリスト毎にずらして、前記特定の撮像装置の撮像画像のストリームについてネットワーク上を連続して流れるようにスクロールタイミングを制御する制御部と、
を備えた画像表示システム。
【請求項２】
前記制御部は、さらに、未だグループ化していないスクロールリストから、前記算出部が算出した登録されているスクロールリストの数が多い前記撮像装置の順に、スクロールリストのグループ化と、スクロールタイミングの制御とを繰り返し行う、
請求項１に記載の画像表示システム。
【請求項３】
複数の表示装置毎に設定された、複数の撮像装置の各々で撮像されてネットワーク上に配信される撮像画像を表示させる順番が予め定められたスクロールリストに基づいて、各撮像装置が登録されているスクロールリストの数を算出する算出部と、
前記算出部で算出された数のうち、最大の数に対応する特定の撮像装置を含むスクロールリストをグループ化し、該グループ内で前記特定の撮像装置のスクロールタイミングをスクロールリスト毎にずらして、前記特定の撮像装置の撮像画像のストリームについて前記ネットワーク上を連続して流れるように制御する制御部と、
を備えた制御装置。
【請求項４】
コンピュータに、
複数の表示装置毎に設定された、複数の撮像装置の各々で撮像されてネットワーク上に配信される撮像画像を表示させる順番が予め定められたスクロールリストに基づいて、各撮像装置が登録されているスクロールリストの数を算出し、
算出された数のうち、最大の数に対応する特定の撮像装置を含むスクロールリストをグループ化し、該グループ内で前記特定の撮像装置のスクロールタイミングをスクロールリスト毎にずらして、前記特定の撮像装置の撮像画像のストリームについて前記ネットワーク上を連続して流れるように制御する、
ことを含む処理を実行させる制御プログラム。
【請求項５】
コンピュータにより、
複数の表示装置毎に設定された、複数の撮像装置の各々で撮像されてネットワーク上に配信される撮像画像を表示させる順番が予め定められたスクロールリストに基づいて、各撮像装置が登録されているスクロールリストの数を算出し、
算出された数のうち、最大の数に対応する特定の撮像装置を含むスクロールリストをグループ化し、該グループ内で前記特定の撮像装置のスクロールタイミングをスクロールリスト毎にずらして、前記特定の撮像装置の撮像画像のストリームについて前記ネットワーク上を連続して流れるように制御する、
ことを含む処理を実行させる制御方法。
【発明の詳細な説明】
【技術分野】
【０００１】
本発明は、画像表示システム、制御装置、制御プログラム、及び制御方法に関する。
【背景技術】
【０００２】
監視カメラ等、複数の撮像装置で撮像された撮像画像をネットワーク上に配信し、配信された該撮像画像を複数の表示装置の各々に表示させる技術が知られている。
【先行技術文献】
【特許文献】
【０００３】
【特許文献１】特開２００９−２１９８３号公報
【発明の概要】
【発明が解決しようとする課題】
【０００４】
複数の撮像装置で撮像された撮像画像を表示させる順番が表示装置毎に予め定められており、当該順番に従って、各表示装置が複数の撮像装置で撮像された撮像画像を切り替えて表示する場合がある。
【０００５】
このような場合に、各表示装置に表示される撮像画像を切り替える場合に、ネットワーク上を流れる撮像画像の映像ストリーム数が多くなり、使用する帯域を圧迫することがある。
【０００６】
本発明は一つの側面として、ネットワーク上を同時に流れる撮像画像の映像ストリーム数を削減することを目的とする。
【課題を解決するための手段】
【０００７】
１つの態様では、各々異なる画像を撮像してネットワーク上に配信する複数の撮像装置と、複数の撮像画像を切り替えて表示する場合に、切り替え対象の複数の撮像画像各々に対応する撮像装置を設定可能な複数の表示装置と、を備える。また、制御装置を備える。制御装置は、前記複数の表示装置のうち、少なくとも第１の表示装置及び第２の表示装置の各々が切り替えて表示する複数の撮像画像の各々に、共通する特定の撮像装置で撮像した特定の撮像画像が含まれる場合、以下の設定を行う。制御装置は、前記第１の表示装置による前記特定の撮像画像から他の撮像装置で撮像した撮像画像への切り替えと、前記第２の表示装置による他の撮像装置で撮像した撮像画像から前記特定の撮像画像への切り替えと、について設定を行う。制御装置は、予め定められた時間内に収まるように撮像画像を切り替え表示するタイミングを設定する。
【発明の効果】
【０００８】
一つの側面として、ネットワーク上を同時に流れる撮像画像の映像ストリーム数を削減することができる、という効果を有する。
【図面の簡単な説明】
【０００９】
【図１】本実施形態のＣＣＴＶシステムの一例の概略構成を表すブロック図である。
【図２】本実施形態の制御装置として機能するコンピュータの概略構成を示すブロック図である。
【図３】本実施形態の制御装置で行われる制御処理の一例のフローチャートである。
【図４】スクロールリストＤＢに記憶されているスクロールリスト（リスト１〜３０）の一例を表した説明図である。
【図５】図４に示したスクロールリストにおいて、スクロール間隔の調整を説明するための説明図である。
【図６】グループ１において、「Ａ」の頭出しを行った場合を表す図を示す。
【図７】グループ１について、「Ａ」のスクロールタイミングをずらした具体例を表す図を示す。
【図８】スクロール時におけるネットワーク上を流れる映像ストリームについて説明するための図である。
【図９】スクロール時におけるネットワーク上を流れる映像ストリームについて説明するための図である。
【図１０】グループ１及びグループ２の間で最適化された箇所をずらした状態を表す図である。
【発明を実施するための形態】
【００１０】
以下、図面を参照して開示の技術の一例を詳細に説明する。
【００１１】
図１には、本実施形態のＣＣＴＶ（Closed-Circuit Television）システムの一例の概略構成を表すブロック図を示す。
【００１２】
本実施形態のＣＣＴＶシステム１０は、複数の撮像装置で撮像された撮像画像（本実施形態では動画像）を、複数の表示装置に、表示装置毎に設定されたスクロールリストに基づいて表示する機能を有する。なお、具体例として、本実施形態の撮像画像は、マルチキャストストリームとして配信される。本実施形態のＣＣＴＶシステム１０は、開示の技術の画像表示システムの一例である。
【００１３】
本実施形態のＣＣＴＶシステム１０は、ｎ個の撮像装置１２（１２１〜１２ｎ）、制御装置２０、ｍ個の表示装置３０（３０１〜３０ｍ）、Ｌ３（Layer 3）スイッチネットワーク３６、及びスクロールリスト登録装置３８を備える。なお、以下では、撮像装置１２１〜１２ｎについて、個々を区別する場合は、個々を示す符号「１」〜「ｎ」を付して称するが、個々を区別せずに総称する場合は個々を示す符号を省略する。また同様に、表示装置３０１〜３０ｍについて、個々を区別する場合は、個々を示す符号「１」〜「ｍ」を付して称するが、個々を区別せずに総称する場合は個々を示す符号を省略する。また同様に、撮像装置１２及び表示装置３０が備える各部（詳細後述）についても同様に、個々を区別する場合は、個々を示す符号を付して称するが、個々を区別せずに総称する場合は個々を示す符号を省略する。
【００１４】
撮像装置１２は、監視対象となる現場１１に設置され、監視対象となる領域を撮像し、撮像した動画像をネットワークに配信する機能を有する。なお、各撮像装置１２は、それぞれ異なる現場１１に設置され、それぞれ異なる領域の動画像を撮像する。
【００１５】
図１に示すように、撮像装置１２は、ＣＣＴＶカメラ１４及びＩＰエンコーダ１６を備える。ＣＣＴＶカメラ１４は、いわゆる監視カメラであり、本実施形態では、動画像を撮像する。ＩＰエンコーダ１６は、ＣＣＴＶカメラ１４が撮像したリアルタイムの動画像をエンコード（再符号化）した映像ストリームを、ネットワーク上のマルチキャストＩＰ（Internet Protocol）アドレスに配信する機能を有する。本実施形態のＩＰエンコーダ１６では、具体例として、ＭＰＥＧ（Moving Picture Experts Group）２形式の映像ストリームを配信する。
【００１６】
一方、制御装置２０、表示装置３０、Ｌ３スイッチネットワーク３６、及びスクロールリスト登録装置３８は、１つの監視室１９内に設置されている。なお、本実施形態のＣＣＴＶシステム１０では、監視者が複数の表示装置３０の画像を同時に観察することが可能なものとしている。
【００１７】
図１に示すように、表示装置３０は、モニタ３２及びＩＰデコーダ３４を備える。ＩＰデコーダ３４は、ネットワーク上に配信された映像ストリームをランダムアクセスポイントから取得してデコード（復号化）する機能を有する。モニタ３２は、ＩＰデコーダ３４によりデコードされた映像（動画像）を表示する機能を有する。
【００１８】
本実施形態の表示装置３０は、撮像装置１２で撮像された動画像を表示するものであり、複数の撮像装置１２で撮像された動画像を表示する場合は、各撮像装置１２の動画像を順次切り替えて表示する。そのため、表示装置３０毎に、表示する動画像の順番として、表示する動画像を撮像した撮像装置１２（動画像に対応する撮像装置１２）の順番が一定の法則に基づいてスクロールリストとして予め定められている。本実施形態では、１つの表示装置３０に対して、１つのスクロールリストが設定されており、各表示装置３０でスクロールリストが異なる場合について説明する。
【００１９】
スクロールリストの具体例としては、「○○国道沿いに設置された撮像装置１２」、「△△トンネルに設置された撮像装置１２」、及び「××河川沿いに設置された撮像装置１２」等の監視の観点に沿ったリストが挙げられる。そのため、監視の観点等に応じて、同一の撮像装置１２（動画像）が、複数のスクロールリストに登録される場合がある。また、スクロール順の具体例としては、国道沿いに設置された撮像装置１２の場合は、「キロポスト順」、河川沿いに設置された撮像装置１２の場合は、「上流から下流順」といった一定の法則に基づいた順番が挙げられる。
【００２０】
Ｌ３スイッチネットワーク３６は、マルチキャストストリーム配信が可能なネットワークとしての機能を有する。本実施形態のＬ３スイッチネットワーク３６は、具体例として、ルータを有する。
【００２１】
制御装置２０は、スクロールリストに基づいて、各表示装置３０に表示される動画像を切り替えるタイミング（動画像を取得するタイミング）を制御する機能を有する。
【００２２】
図１に示すように本実施形態の制御装置２０は、スクロールリスト受付部２２、スクロールリストＤＢ２４、算出部２６、及びタイミング制御部２８を備える。
【００２３】
スクロールリスト受付部２２は、スクロールリスト登録装置３８から表示装置３０毎に、スクロールリストを受け付ける機能を有する。スクロールリスト受付部２２が受け付けたスクロールリストは、スクロールリストＤＢ２４に記憶される。算出部２６は、スクロールリストＤＢ２４に記憶されているスクロールリストに基づいて、撮像装置１２が登録されているスクロールリストの数を算出する機能を有する。算出部２６は、開示の技術の判断部の一例及び算出部の一例である。タイミング制御部２８は、算出部２６の算出結果に基づいて、特定の撮像装置１２について登録されているスクロールリストをグループ化する機能を有する。タイミング制御部２８は、開示の技術の設定部の一例及び制御部の一例である。また、タイミング制御部２８は、該グループ内で特定の撮像装置１２のスクロールタイミングをスクロールリスト毎にずらし、特定の撮像装置１２の動画像の映像ストリームがネットワーク上を連続して流れるよう制御する機能を有する。すなわち、タイミング制御部２８は、表示装置３０毎に、動画像が切り替わるタイミングを制御することにより、特定の撮像装置１２の動画像の映像ストリームがネットワーク上を連続して流れるよう制御する機能を有する。
【００２４】
スクロールリスト登録装置３８は、監視者等のユーザが各表示装置３０に対応するスクロールリストに、撮像装置１２（動画像）及びその順番を登録する機能を有する。
【００２５】
なお、制御装置２０は、例えば図２に示すコンピュータ５０で実現することができる。より具体的には、制御装置２０はサーバとして機能するコンピュータ５０で実現することができる。コンピュータ５０は、ＣＰＵ（Central Processing Unit）５２、ネットワークＩ／Ｆ５４、メモリ５６、及び不揮発性の記憶部５８を備える。ＣＰＵ５２、ネットワークＩ／Ｆ５４、メモリ５６、及び記憶部５８は、バス６０を介して互いに接続されている。ネットワークＩ／Ｆ５４は、Ｌ３スイッチネットワーク３６に接続される。
【００２６】
記憶部５８はＨＤＤ（Hard Disk Drive）やフラッシュメモリ等によって実現できる。記憶媒体としての記憶部５８には、コンピュータ５０を制御装置２０として機能させるための制御プログラム６２が記憶されている。ＣＰＵ５２は、制御プログラム６２を記憶部５８から読み出してメモリ５６に展開し、制御プログラム６２が有する各プロセスを順次実行する。
【００２７】
制御プログラム６２は、スクロールリスト受付プロセス６４、算出プロセス６６、及びタイミング制御プロセス６８を有する。
【００２８】
また、記憶部５８のスクロールリストＤＢ記憶領域７０は、スクロールリストＤＢ２４が記憶される記憶領域として機能する。
【００２９】
ＣＰＵ５２は、スクロールリスト受付プロセス６４を実行することで、スクロールリスト受付部２２として動作する。また、ＣＰＵ５２は、算出プロセス６６を実行することで、算出部２６として動作する。さらに、ＣＰＵ５２は、タイミング制御プロセス６８を実行することで、タイミング制御部２８として動作する。
【００３０】
これにより、制御プログラム６２を実行したコンピュータ５０が、制御装置２０として機能する。
【００３１】
なお、コンピュータ５０は、いわゆるデスクトップ型のパーソナルコンピュータに限定されない。コンピュータ５０は、ラップトップ型のパーソナルコンピュータであってもよいし、タブレット端末やスマートフォンに代表されるＰＤＡ（Personal Digital Assistants：携帯情報端末装置）等であってもよい。
【００３２】
なお、制御装置２０は、例えば半導体集積回路、より詳しくはＡＳＩＣ（Application Specific Integrated Circuit）等で実現することも可能である。
【００３３】
次に、本実施形態に係る制御装置２０による作用について説明する。
【００３４】
本実施形態の制御装置２０で行われる制御処理について説明する。本実施形態の制御処理は、ネットワーク上に特定の映像ストリームが流れる時間が連続する（長くなる）ように制御する処理である。具体的には、本実施形態の制御処理は、表示装置３０毎に表示される動画像（撮像装置１２）を切り替えるタイミング（スクロールタイミング）を制御する処理である。
【００３５】
なお、本実施形態のＣＣＴＶシステム１０では、制御装置２０が制御処理を実行する前に、スクロールリスト登録装置３８により、表示装置３０毎にスクロールリストが設定されて制御装置２０のスクロールリストＤＢ２４に記憶される。
【００３６】
本実施形態の制御装置２０では、制御処理を予め定められたタイミングで実行する。予め定められたタイミングとしては、例えば、表示装置３０の電源が投入されたタイミングや、表示装置３０に撮像画像を表示させるよう指示を受けたタイミング等が挙げられる。その他、スクロールリスト登録装置３８からスクロールリストが登録された場合や、既に登録済みのスクロールリストについてスクロール順等が変更されたタイミング等であってもよい。
【００３７】
図３には、本実施形態の制御装置２０で行われる制御処理の一例のフローチャートを示す。なお、以下では、撮像装置１２が２００個（ｎ＝２００）及び表示装置３０が３０個（ｍ＝３０）の場合を具体例として説明する。図４には、この具体例の場合にスクロールリストＤＢ２４に記憶されているスクロールリスト（リスト１〜３０）の一例を表した説明図を示す。スクロールリスト１〜３０は、それぞれ、表示装置３０１〜３０３０に対応している。図４において、各スクロールリストの枠内に表示されている数字は、撮像装置１２（ＣＣＴＶカメラ１４）の番号を表している。
【００３８】
まず、ステップＳ１００で算出部２６は、全スクロールリストから、登録されている撮像装置１２（撮像画像）が１つのスクロールリストを除外する。スクロールリストに撮像装置１２が１つしか登録されていない場合、登録されている単一の撮像画像が常時表示され、他の撮像装置１２で撮像された撮像画像に表示が切り替わることがない。そのため、表示を切り替えるタイミングを調整して設定する必要がないので、本制御処理においては、制御対象から除外する。
【００３９】
次のステップＳ１０２で算出部２６は、撮像装置１２の登録数が最多のスクロールリストのリスト長（最大リスト長）に合わせて、全スクロールリスト（上記ステップで除外したものを除く）のスクロール間隔を調整する。図５には、図４に示したスクロールリストにおいて、スクロール間隔の調整を説明するための説明図を示す。図４に示したスクロールリストでは、リスト２７が撮像装置１２の登録数が最多であり、最大リスト長になる。
【００４０】
なお、監視を行う観点からは、複数の撮像装置１２がスクロールリストに登録されている場合、１つの撮像装置１２の画像が長時間連続して表示装置３０に表示されることは好ましくない場合がある。そのため、本実施形態では、撮像装置１２の登録数が少なくリスト長が短い場合、最大リスト長にあわせて、スクロールを繰り返すように調整する。具体的には、リスト長×２≦最大リスト長であれば、スクロールリストを繰り返す。
【００４１】
本実施形態の算出部２６は、具体的には、以下の（１）〜（５）の式により、スクロール間隔を調整する。
【００４２】
スクロールリストのリスト長＝撮像装置１２の登録数×予め定められたスクロール間隔    ・・・（１）
各スクロールリストにおける繰り返し数＝最大リスト長／リスト長    ・・・（２）
余り＝最大リスト長％リスト長  （％：剰余算を表す演算子）    ・・・（３）
スクロール間隔延長分＝余り／（撮像装置１２の登録数×繰り返し数）    ・・・（４）
調整後スクロール間隔＝予め定められたスクロール間隔＋スクロール間隔延長分    ・・・（５）
なお、このように本実施形態の制御装置２０では、リスト長が短い場合は、最大リスト長に合わせてスクロールリストを繰り返すが、繰り返し方は、本実施形態に限らない。例えば、最大スクロール間隔を予め定めておき、調整後のスクロール間隔が最大スクロール間隔以下で、最も長いスクロール間隔となるように繰り返し回数を調整してもよい。この場合、最大リスト長における撮像装置１２の登録数を、上記具体例よりも少なくすることができるため、表示装置３０において撮像画像（撮像装置１２）を切り替えるタイミングを削減することができる。
【００４３】
次のステップＳ１０４で算出部２６は、撮像装置１２毎に、登録されているスクロールリスト数をカウントする。具体的には、算出部２６は、ステップＳ１００で除外したスクロールリストを除いた全スクロールリストから、撮像装置１２毎に、登録されているスクロールリスト数をカウントする。
【００４４】
そして次のステップＳ１０６で算出部２６は、登録されているスクロールリストの数が最多の撮像装置１２を「Ａ」とする。図４に示した具体例では、撮像装置１２０５８の登録数が最多であり、Ａ＝撮像装置１２０５８とする。なお、登録数が最多となる撮像装置１２が複数有る場合は、任意の撮像装置１２を「Ａ」として選択すればよい。
【００４５】
次のステップＳ１０８でタイミング制御部２８は、「Ａ」を含むスクロールリストを抽出してグループ化する。図４に示した具体例では、「Ａ」＝撮像装置１２０５８の場合、タイミング制御部２８は、リスト８、１２、１８、１９、２３、２５、及び２９を抽出してグループ化する。以下では、説明の便宜上、当該グループを「グループ１」という。
【００４６】
次のステップＳ１１０でタイミング制御部２８は、上記グループにおいて、「Ａ」の撮像装置１２（撮像画像）からスクロールが開始されるように、各スクロールリストの頭出しを行う。図６には、グループ１において、リスト８、１２、１８、１９、２３、２５、及び２９を、撮像装置１２０５８からスクロールが開始されるように頭出しを行った場合を表す図を示す。
【００４７】
次のステップＳ１１２でタイミング制御部２８は、グループ内で「Ａ」のスクロールタイミングをずらすように調整することにより「Ａ」のスクロールタイミングを最適化する。図７には、グループ１について、撮像装置１２０５８のスクロールタイミングをずらした具体例を表す図を示す。
【００４８】
本実施形態のＣＣＴＶシステム１０は、上述したように、１つの監視室１９内で複数の表示装置３０を同時に監視しているため、同じ撮像装置１２の撮像画像が複数の表示装置３０に同時に表示されてしまうのはあまり好ましくない。そのため、タイミング制御部２８がグループ内で「Ａ」のスクロールタイミングをずらすように調整している。
【００４９】
ここでスクロールタイミングのずらし方について説明する。図８及び図９を参照して、スクロール時におけるネットワーク上を流れる映像ストリームについて説明する。
【００５０】
図８は具体例として、表示装置３０１が撮像装置１２Ａから撮像装置１２Ｂに表示を切り替え、表示装置３０２が撮像装置１２Ｃから撮像装置１２Ｄに表示を切り替える場合を示している。
【００５１】
表示装置３０１のモニタ３２１には撮像装置１２Ａの撮像画像が表示され、表示装置３０２のモニタ３２２には撮像装置１２Ｃの撮像画像が表示されている。そのため、ネットワーク上には、撮像装置１２Ａの映像ストリームと、撮像装置１２Ｃの映像ストリームとが流れている。
【００５２】
タイミングＴ０で制御装置２０は、ルータ（Ｌ３スイッチネットワーク３６）を介して表示装置３０１のＩＰデコーダ３４１に撮像装置１２Ａから撮像装置１２Ｂにスクロール（切り替え）を行うよう指示をする。また、制御装置２０は、ルータ（Ｌ３スイッチネットワーク３６）を介して表示装置３０２のＩＰデコーダ３４２に撮像装置１２Ｃから撮像装置１２Ｄにスクロール（切り替え）を行うよう指示をする。
【００５３】
ＩＰデコーダ３４１は、スクロール指示を受信するとルータ（Ｌ３スイッチネットワーク３６）に対して、撮像装置１２Ｂの映像ストリームを要求するメッセージ（join）を送信する。また、ＩＰデコーダ３４２は、スクロール指示を受信するとルータ（Ｌ３スイッチネットワーク３６）に対して、撮像装置１２Ｄの映像ストリームを要求するメッセージ（join）を送信する。
【００５４】
ルータ（Ｌ３スイッチネットワーク３６）はjoinメッセージを受信すると、タイミングＴ１において、撮像装置１２Ｂの映像ストリーム及び撮像装置１２Ｄの映像ストリームの転送を開始する。これにより、タイミングＴ１からはネットワーク上には、さらに撮像装置１２Ｂの映像ストリームと、撮像装置１２Ｄの映像ストリームとが流れ始める。
【００５５】
タイミングＴ２でＩＰデコーダ３４１は、撮像装置１２Ｂの映像ストリームのランダムアクセスポイント（ＲＡＰ)を引き込んでから、撮像装置１２Ａの映像ストリームの取得元からの離脱を要求するメッセージ（leave）を送信する。また、ＩＰデコーダ３４２は、撮像装置１２Ｄの映像ストリームのランダムアクセスポイント（ＲＡＰ)を引き込んでから、撮像装置１２Ｃの映像ストリームの取得元からの離脱を要求するメッセージ（leave）を送信する。
【００５６】
ルータ（Ｌ３スイッチネットワーク３６）は、leaveメッセージを受信すると、他に撮像装置１２Ａの映像ストリームまたは撮像装置１２Ｃの映像ストリームを受信中のＩＰデコーダ３４がないことを確認する。
【００５７】
図８に示した具体例では、他に撮像装置１２Ａの映像ストリームまたは撮像装置１２Ｃの映像ストリームを受信中のＩＰデコーダ３４がない。そのため、タイミングＴ３でルータ（Ｌ３スイッチネットワーク３６）は、撮像装置１２Ａの映像ストリーム及び撮像装置１２Ｃの映像ストリームの転送を停止する。これにより、タイミングＴ３からは、撮像装置１２Ａの映像ストリームと、撮像装置１２Ｃの映像ストリームとが流れなくなる。
【００５８】
このようにして、表示装置３０１では、撮像装置１２Ａの撮像画像から撮像装置１２Ｂの撮像画像にスクロール（切り替え）が行われる。また、表示装置３０２では、撮像装置１２Ｃの撮像画像から撮像装置１２Ｄの撮像画像にスクロール（切り替え）が行われる。上述したように表示装置３０において撮像装置１２（撮像画像）の切り替えを行う場合、切り替え前後の撮像装置１２の映像ストリームが同時にネットワーク上を流れる期間を要する。図８に示した場合では、タイミングＴ１からＴ３の間は、撮像装置１２Ａ、撮像装置１２Ｂ、撮像装置１２Ｃ、及び撮像装置１２Ｄ各々の映像ストリームが流れる。
【００５９】
一方、図９は具体例として、表示装置３０１が撮像装置１２Ａから撮像装置１２Ｂに表示を切り替え、表示装置３０２が撮像装置１２Ｃから撮像装置１２Ａに表示を切り替える場合を示している。
【００６０】
表示装置３０１のモニタ３２１には撮像装置１２Ａの撮像画像が表示され、表示装置３０２のモニタ３２２には撮像装置１２Ｃの撮像画像が表示されている。そのため、ネットワーク上には、撮像装置１２Ａの映像ストリームと、撮像装置１２Ｃの映像ストリームとが流れている。
【００６１】
タイミングＴ０で制御装置２０は、ルータ（Ｌ３スイッチネットワーク３６）を介して表示装置３０１のＩＰデコーダ３４１に撮像装置１２Ａから撮像装置１２Ｂにスクロール（切り替え）を行うよう指示をする。また、制御装置２０は、ルータ（Ｌ３スイッチネットワーク３６）を介して表示装置３０２のＩＰデコーダ３４２に撮像装置１２Ｃから撮像装置１２Ａスクロール（切り替え）を行うよう指示をする。
【００６２】
ＩＰデコーダ３４１は、スクロール指示を受信するとルータ（Ｌ３スイッチネットワーク３６）に対して、撮像装置１２Ｂの映像ストリームを要求するメッセージ（join）を送信する。また、ＩＰデコーダ３４２は、スクロール指示を受信するとルータ（Ｌ３スイッチネットワーク３６）に対して、撮像装置１２Ａの映像ストリームを要求するメッセージ（join）を送信する。
【００６３】
ルータ（Ｌ３スイッチネットワーク３６）はjoinメッセージを受信すると、タイミングＴ１において、撮像装置１２Ｂの映像ストリームの転送を開始する。これにより、タイミングＴ１からはネットワーク上には、さらに撮像装置１２Ｂの映像ストリームが流れ始める。
【００６４】
タイミングＴ２でＩＰデコーダ３４１は、撮像装置１２Ｂの映像ストリームのランダムアクセスポイント（ＲＡＰ)を引き込んでから、撮像装置１２Ａの映像ストリームの取得元からの離脱を要求するメッセージ（leave）を送信する。また、ＩＰデコーダ３４２は、撮像装置１２Ａの映像ストリームのランダムアクセスポイント（ＲＡＰ)を引き込んでから、撮像装置１２Ｃの映像ストリームの取得元からの離脱を要求するメッセージ（leave）を送信する。
【００６５】
ルータ（Ｌ３スイッチネットワーク３６）は、leaveメッセージを受信すると、他に撮像装置１２Ａの映像ストリームまたは撮像装置１２Ｃの映像ストリームを受信中のＩＰデコーダ３４がないことを確認する。
【００６６】
図９に示した具体例では、撮像装置１２Ｃの映像ストリームを受信中の他のＩＰデコーダ３４はないが、ＩＰデコーダ３４２から撮像装置１２Ａの要求を受信している。そのため、タイミングＴ３でルータ（Ｌ３スイッチネットワーク３６）は、撮像装置１２Ｃの映像ストリームのみ転送を停止する。これにより、タイミングＴ３からは、撮像装置１２Ｃの映像ストリームが流れなくなる。
【００６７】
このようにして、表示装置３０１では、撮像装置１２Ａの撮像画像から撮像装置１２Ｂの撮像画像にスクロール（切り替え）が行われる。また、表示装置３０２では、撮像装置１２Ｃの撮像画像から撮像装置１２Ａの撮像画像にスクロール（切り替え）が行われる。ＩＰデコーダ３４２は、既にネットワーク上を流れる撮像装置１２Ａの映像ストリームへのスクロールを行うため、スクロールの際にネットワーク上を流れる映像ストリームの数を削減することができる。図９に示した場合では、タイミングＴ１からＴ３の間は、撮像装置１２Ａ、撮像装置１２Ｂ、撮像装置１２Ｃ各々の映像ストリームが流れることになり、図８に示した場合に比べて、映像ストリームの数が削減される。
【００６８】
このように、撮像装置１２（撮像画像）の切り替えを行う場合、既にネットワーク上を流れている映像ストリームに切り替えを行うことにより、ネットワーク上を同時に流れる映像ストリームの数を削減することができる。
【００６９】
そのため、本実施形態のタイミング制御部２８は、ネットワーク上を流れている映像ストリームに切り替えが行えるように予め定められた時間内において、グループ内で「Ａ」のスクロールタイミングをずらすように調整する。当該予め定められた時間は、実験等により得られている時間を用いればよい。
【００７０】
なお、上述したように、同じ撮像装置１２の撮像画像が複数の表示装置３０に同時に表示されてしまうことはあまり好ましくないが、本実施形態のＣＣＴＶシステム１０は、同時に表示されることを除外するものではない。また、監視する側の状況等に応じて、同じ撮像装置１２の撮像画像が複数の表示装置３０に同時に表示されてもよい場合は、スクロールタイミングをずらす調整（本ステップＳ１１２）を行わなくてもよい。
【００７１】
次のステップＳ１１４でタイミング制御部２８は、「Ａ」を含むスクロールリストを全スクロールリスト（ステップＳ１００で除外したスクロールリストを除く）から除外する。
【００７２】
次のステップＳ１１６でタイミング制御部２８は、残りのスクロールリストの数が「０」であるか否かを判断する。残りのスクロールリストが「０」ではない場合は、否定判定となり、ステップＳ１０４に戻ってステップＳ１０４〜Ｓ１１４の処理を繰り返す。このように、スクロールタイミングの調整を繰り返し行うことにより、ネットワーク上を同時に流れる映像ストリームの数をより抑制することができる。
【００７３】
一方、残りのスクロールリストが「０」の場合は、肯定判定となり、ステップＳ１１８へ移行する。
【００７４】
ステップＳ１１８でタイミング制御部２８は、グループ間で最適化された箇所をずらすように調整する。図１０には、グループ１及びグループ２の間で最適化された箇所をずらした状態を表す図を示す。図１０に示した「グループ２」は、上述した撮像装置１２０５８の次に、登録されているスクロールリストの数が最多の撮像装置１２０３８を「Ａ」とした場合のグループである。
【００７５】
図１０に示した場合では、グループ１において、撮像装置１２０５８について最適化を行った箇所である調整箇所８０と、撮像装置１２０３８について最適化を行った箇所である調整箇所８２と、がずれるように調整する。
【００７６】
次のステップＳ１２０でタイミング制御部２８は、調整した結果に基づいて、表示装置３０に対してスクロールを開始した後、本制御処理を終了する。
【００７７】
調整した結果に基づいてタイミング制御部２８がスクロールを開始する方法は特に限定されない。例えば、上記ステップＳ１１２で調整を行った結果、グループ内において、最初にスクロールを開始するスクロールリストとの時間差をスクロールリスト開始時間とする。また、上記ステップＳ１１８で調整を行った結果、最初にスクロールを開始したグループとの時間差をグループ開始時間とする。そして、初めのスクロールリストについてスクロールを開始してから、スクロールリスト開始時間とグループ開始時間とを加算した時間後に、そのスクロールリストのスクロールを開始する。図１０に示したリスト２６の場合では、スクロールリスト開始時間がｔ０、グループ２のグループ開始時間がｔ１のため、グループ１のリスト１８のスクロール開始時刻から、ｔ０＋ｔ１経過した時刻にスクロールを開始する。
【００７８】
以上説明したように、本実施形態のＣＣＴＶシステム１０は、各々異なる動画像を撮像してネットワーク上に配信する複数の撮像装置１２を備える。また、ＣＣＴＶシステム１０は、複数の撮像画像を切り替えて表示する場合に、切り替え対象の複数の撮像画像各々に対応する撮像装置を設定可能な複数の表示装置３０を備える。さらにＣＣＴＶシステム１０は制御装置２０を備える。制御装置２０は、複数の表示装置３０のうち、少なくとも第１の表示装置及び第２の表示装置の各々が切り替えて表示する複数の撮像画像の各々に、共通する特定の撮像装置１２で撮像した特定の撮像画像が含まれる場合、以下の設定を行う。制御装置２０は、第１の表示装置３０による特定の撮像画像から他の撮像装置１２で撮像した撮像画像への切り替えと、第２の表示装置３０による他の撮像装置１２で撮像した撮像画像から特定の撮像画像への切り替えとについて設定を行う。制御装置２０は、予め定められた時間内に収まるように撮像画像を切り替え表示するタイミングを設定する。
【００７９】
また、本実施形態のＣＣＴＶシステム１０では、スクロールリストが、複数の表示装置３０毎に設定されとおり、複数の撮像装置１２の各々で撮像されてネットワーク上に配信される撮像画像を表示させる順番が予め定められている。そして、制御装置２０は、算出部２６及びタイミング制御部２８を備える。
算出部２６は、スクロールリストに基づいて、各撮像装置１２が登録されているスクロールリストの数を算出する。タイミング制御部２８は、算出部２６で算出された数のうち、最大の数に対応する特定の撮像装置１２を含むスクロールリストをグループ化する。そして、該グループ内で特定の撮像装置１２のスクロールタイミングをスクロールリスト毎にずらして、特定の撮像装置１２の撮像画像のストリームについてネットワーク上を連続して流れるように制御する。
【００８０】
これにより本実施形態の制御装置２０が、撮像装置１２（撮像画像）の切り替えを行う場合、既にネットワーク上を流れている映像ストリームに切り替えを行う。従って、ネットワーク上を同時に流れる映像ストリームの数を削減することができる。
【００８１】
マルチキャストストリームでは、ネットワーク上を同時に流れる映像ストリームの数に比例して帯域を占有する。そのため、映像ストリームが輻輳するので、表示装置３０のＩＰデコーダ３４やＬ３スイッチネットワーク３６等の負荷が高くなり、映像ストリームのパケットロスが生じて正常に撮像画像が表示できない場合がある。例えば、ＩＰデコーダ３４がハードデコーダの場合では、動画像が停止、もしくは準動画になってしまうことがある。また、ＩＰデコーダ３４がソフトデコーダの場合では、ブロックノイズが表示されたり、フリーズしたりすることがある。従来のＣＣＴＶシステムでは、このような場合、スクロールリストに登録する撮像装置１２（撮像画像）の数を削減するよう調整を行っていた。また、このような調整は、ユーザ等、人手で行われることが一般的であった。しかしながら、監視を行うという観点からは、登録する撮像装置１２（撮像画像）の数を削減するのはあまり好ましくない。
【００８２】
これに対して本実施形態のＣＣＴＶシステム１０では、スクロールリストに登録する撮像装置１２（撮像画像）の数を削減することなく、ネットワーク上を同時に流れる映像ストリームの数を削減することができる。またユーザの負荷を抑制することができる。
【００８３】
また、スクロールリスト内における撮像装置１２（撮像画像）の順番、すなわち撮像画像の表示順番の変更を行うこともない。
【００８４】
従って、本実施形態のＣＣＴＶシステム１０は、撮像装置１２の撮像画像により適切に監視を行うことができる。
【００８５】
なお、上記実施形態では、撮像装置１２の撮像画像をマルチキャストストリームを用いて配信する場合について説明したが、配信の仕方はマルチキャストストリームを用いるものに限定されない。なお、リアルタイムで映像（画像）を配信、特にブロードキャスト配信する場合に開示の技術を適用することが好ましく、なかでも、マルチキャストストリームを用いる場合に顕著な効果が得られる。
【００８６】
また、上記実施形態では、撮像装置１２の撮像画像により監視を行うＣＣＴＶシステム１０について説明したが、撮像装置１２の撮像画像を何に利用するかは特に限定されない。例えば、ネットワーク上に撮像画像をリアルタイムで配信し、複数の表示装置において閲覧可能な画像表示システムであってもよい。
【００８７】
なお、上記実施形態では、制御プログラム６２が記憶部５８に予め記憶（インストール）されている態様を説明したが、制御プログラム６２を記憶媒体に記録された形態で提供することも可能である。記憶媒体としては、例えば、ＣＤ−ＲＯＭ（Compact Disc Read Only Memory）、ＤＶＤ−ＲＯＭ（Digital Versatile Disk Read Only Memory）、及びＵＳＢ（Universal Serial Bus）メモリ等が挙げられる。
【００８８】
以上の上記実施形態に関し、更に以下の付記を開示する。
【００８９】
（付記１）
各々異なる画像を撮像してネットワーク上に配信する複数の撮像装置と、
複数の撮像画像を切り替えて表示する場合に、切り替え対象の複数の撮像画像各々に対応する撮像装置を設定可能な複数の表示装置と、
前記複数の表示装置のうち、少なくとも第１の表示装置及び第２の表示装置の各々が切り替えて表示する複数の撮像画像の各々に、共通する特定の撮像装置で撮像した特定の撮像画像が含まれる場合に、前記第１の表示装置による前記特定の撮像画像から他の撮像装置で撮像した撮像画像への切り替えと、前記第２の表示装置による他の撮像装置で撮像した撮像画像から前記特定の撮像画像への切り替えとが予め定められた時間内に収まるように撮像画像を切り替え表示するタイミングを設定する制御装置、
を備えた画像表示システム。
【００９０】
（付記２）
前記複数の撮像装置は、撮像した撮像画像のストリームをネットワークに配信し、
前記予め定められた時間は、前記特定の撮像画像のストリームが前記ネットワーク上を連続して流れるように予め定められた時間である、
付記１に記載の画像表示システム。
【００９１】
（付記３）
前記複数の撮像装置で撮像された撮像画像を表示させる順番が予め定められたスクロールリストが前記複数の表示装置毎に設定されており、
前記制御装置は、前記スクロールリストに基づいて、各撮像装置が登録されているスクロールリストの数を算出する算出部と、
前記算出部で算出された数のうち、最大の数に対応する特定の撮像装置を含むスクロールリストをグループ化し、該グループ内で前記特定の撮像装置のスクロールタイミングをスクロールリスト毎にずらして、前記特定の撮像装置の撮像画像のストリームについてネットワーク上を連続して流れるようにスクロールタイミングを制御する制御部と、
を備える、
付記１または付記２に記載の画像表示システム。
【００９２】
（付記４）
前記制御部は、さらに、未だグループ化していないスクロールリストから、前記算出部が算出した登録されているスクロールリストの数が多い前記撮像装置の順に、スクロールリストのグループ化と、スクロールタイミングの制御とを繰り返し行う、
付記３に記載の画像表示システム。
【００９３】
（付記５）
前記制御部は、スクロールリストのうち表示させる撮像画像が最多のスクロールリストのリスト長に合わせるように、他のスクロールリストのスクロール間隔を調整する、
付記３または付記４に記載の画像表示システム。
【００９４】
（付記６）
各々異なる画像を撮像してネットワーク上に配信する複数の撮像装置の各々が撮像した撮像画像を切り替えて表示する場合に、切り替え対象の複数の撮像画像各々に対応する撮像装置を設定可能な複数の表示装置のうち、少なくとも第１の表示装置及び第２の表示装置の各々が切り替えて表示する複数の撮像画像の各々に、共通する特定の撮像装置で撮像した特定の撮像画像が含まれか判断する判断部と、
前記判断部が前記特定の撮像画像が含まれると判断した場合に、前記第１の表示装置による前記特定の撮像画像から他の撮像装置で撮像した撮像画像への切り替えと、前記第２の表示装置による他の撮像装置で撮像した撮像画像から前記特定の撮像画像への切り替えとが予め定められた時間内に収まるように撮像画像を切り替え表示するタイミングを設定する設定部と、
を備えた制御装置。
【００９５】
（付記７）
前記複数の撮像装置は、撮像した撮像画像のストリームをネットワークに配信し、
前記予め定められた時間は、前記特定の撮像画像のストリームが前記ネットワーク上を連続して流れるように予め定められた時間である、
付記６に記載の制御装置。
【００９６】
（付記８）
前記複数の撮像装置で撮像された撮像画像を表示させる順番が予め定められたスクロールリストが前記複数の表示装置毎に設定されており、
前記判断部は、前記制御装置は、前記スクロールリストに基づいて、各撮像装置が登録されているスクロールリストの数を算出し、
前記設定部は、前記判断部で算出された数のうち、最大の数に対応する特定の撮像装置を含むスクロールリストをグループ化し、該グループ内で前記特定の撮像装置のスクロールタイミングをスクロールリスト毎にずらして、前記特定の撮像装置の撮像画像のストリームについてネットワーク上を連続して流れるようにスクロールタイミングを制御する、
付記６または付記７に記載の制御装置。
【００９７】
（付記９）
前記設定部は、さらに、未だグループ化していないスクロールリストから、算出した登録されているスクロールリストの数が多い前記撮像装置の順に、スクロールリストのグループ化と、スクロールタイミングの制御とを繰り返し行う、
付記８に記載の制御装置。
【００９８】
（付記１０）
前記設定部は、スクロールリストのうち表示させる撮像画像が最多のスクロールリストのリスト長に合わせるように、他のスクロールリストのスクロール間隔を調整する、
付記８または付記９に記載の制御装置。
【００９９】
（付記１１）
複数の表示装置毎に設定された、複数の撮像装置の各々で撮像されてネットワーク上に配信される撮像画像を表示させる順番が予め定められたスクロールリストに基づいて、各撮像装置が登録されているスクロールリストの数を算出する算出部と、
前記算出部で算出された数のうち、最大の数に対応する特定の撮像装置を含むスクロールリストをグループ化し、該グループ内で前記特定の撮像装置のスクロールタイミングをスクロールリスト毎にずらして、前記特定の撮像装置の撮像画像のストリームについて前記ネットワーク上を連続して流れるように制御する制御部と、
を備えた制御装置。
【０１００】
（付記１２）
前記制御部は、さらに、未だグループ化していないスクロールリストから、前記算出部が算出した登録されているスクロールリストの数が多い前記撮像装置の順に、スクロールリストのグループ化と、スクロールタイミングの制御とを繰り返し行う、
付記１１に記載の制御装置。
【０１０１】
（付記１３）
前記制御部は、スクロールリストのうち表示させる撮像画像が最多のスクロールリストのリスト長に合わせるように、他のスクロールリストのスクロール間隔を調整する、
付記１１または付記１２に記載の制御装置。
【０１０２】
（付記１４）
コンピュータに、
各々異なる画像を撮像してネットワーク上に配信する複数の撮像装置の各々が撮像した撮像画像を切り替えて表示する場合に、切り替え対象の複数の撮像画像各々に対応する撮像装置を設定可能な複数の表示装置のうち、少なくとも第１の表示装置及び第２の表示装置の各々が切り替えて表示する複数の撮像画像の各々に、共通する特定の撮像装置で撮像した特定の撮像画像が含まれか判断し、
前記特定の撮像画像が含まれると判断した場合に、前記第１の表示装置による前記特定の撮像画像から他の撮像装置で撮像した撮像画像への切り替えと、前記第２の表示装置による他の撮像装置で撮像した撮像画像から前記特定の撮像画像への切り替えとが予め定められた時間内に収まるように撮像画像を切り替え表示するタイミングを設定する、
ことを含む処理を実行させる制御プログラム。
【０１０３】
（付記１５）
前記複数の撮像装置は、撮像した撮像画像のストリームをネットワークに配信し、
前記予め定められた時間は、前記特定の撮像画像のストリームが前記ネットワーク上を連続して流れるように予め定められた時間である、
付記１４に記載の制御プログラム。
【０１０４】
（付記１６）
前記複数の撮像装置で撮像された撮像画像を表示させる順番が予め定められたスクロールリストが前記複数の表示装置毎に設定されており、
前記制御装置は、前記スクロールリストに基づいて、各撮像装置が登録されているスクロールリストの数を算出し、
算出された数のうち、最大の数に対応する特定の撮像装置を含むスクロールリストをグループ化し、該グループ内で前記特定の撮像装置のスクロールタイミングをスクロールリスト毎にずらして、前記特定の撮像装置の撮像画像のストリームについてネットワーク上を連続して流れるようにスクロールタイミングを制御する、
付記１４または付記１５に記載の制御プログラム。
【０１０５】
（付記１７）
さらに、未だグループ化していないスクロールリストから、算出した登録されているスクロールリストの数が多い前記撮像装置の順に、スクロールリストのグループ化と、スクロールタイミングの制御とを繰り返し行う、
付記１６に記載の制御プログラム。
【０１０６】
（付記１８）
スクロールリストのうち表示させる撮像画像が最多のスクロールリストのリスト長に合わせるように、他のスクロールリストのスクロール間隔を調整する、
付記１６または付記１７に記載の制御プログラム。
【０１０７】
（付記１９）
コンピュータに、
複数の表示装置毎に設定された、複数の撮像装置の各々で撮像されてネットワーク上に配信される撮像画像を表示させる順番が予め定められたスクロールリストに基づいて、各撮像装置が登録されているスクロールリストの数を算出し、
算出された数のうち、最大の数に対応する特定の撮像装置を含むスクロールリストをグループ化し、該グループ内で前記特定の撮像装置のスクロールタイミングをスクロールリスト毎にずらして、前記特定の撮像装置の撮像画像のストリームについて前記ネットワーク上を連続して流れるように制御する、
ことを含む処理を実行させる制御プログラム。
【０１０８】
（付記２０）
さらに、未だグループ化していないスクロールリストから、前記算出部が算出した登録されているスクロールリストの数が多い前記撮像装置の順に、スクロールリストのグループ化と、スクロールタイミングの制御とを繰り返し行う、
付記１９に記載の制御プログラム。
【０１０９】
（付記２１）
スクロールリストのうち表示させる撮像画像が最多のスクロールリストのリスト長に合わせるように、他のスクロールリストのスクロール間隔を調整する、
付記１９または付記２０に記載の制御プログラム。
【０１１０】
（付記２２）
コンピュータにより、
各々異なる画像を撮像してネットワーク上に配信する複数の撮像装置の各々が撮像した撮像画像を切り替えて表示する場合に、切り替え対象の複数の撮像画像各々に対応する撮像装置を設定可能な複数の表示装置のうち、少なくとも第１の表示装置及び第２の表示装置の各々が切り替えて表示する複数の撮像画像の各々に、共通する特定の撮像装置で撮像した特定の撮像画像が含まれか判断し、
前記特定の撮像画像が含まれると判断した場合に、前記第１の表示装置による前記特定の撮像画像から他の撮像装置で撮像した撮像画像への切り替えと、前記第２の表示装置による他の撮像装置で撮像した撮像画像から前記特定の撮像画像への切り替えとが予め定められた時間内に収まるように撮像画像を切り替え表示するタイミングを設定する、
ことを含む処理を実行させる制御方法。
【０１１１】
（付記２３）
前記複数の撮像装置は、撮像した撮像画像のストリームをネットワークに配信し、
前記予め定められた時間は、前記特定の撮像画像のストリームが前記ネットワーク上を連続して流れるように予め定められた時間である、
付記２２に記載の制御方法。
【０１１２】
（付記２４）
前記複数の撮像装置で撮像された撮像画像を表示させる順番が予め定められたスクロールリストが前記複数の表示装置毎に設定されており、
前記制御装置は、前記スクロールリストに基づいて、各撮像装置が登録されているスクロールリストの数を算出し、
算出された数のうち、最大の数に対応する特定の撮像装置を含むスクロールリストをグループ化し、該グループ内で前記特定の撮像装置のスクロールタイミングをスクロールリスト毎にずらして、前記特定の撮像装置の撮像画像のストリームについてネットワーク上を連続して流れるようにスクロールタイミングを制御する、
付記２２または付記２３に記載の制御方法。
【０１１３】
（付記２５）
さらに、未だグループ化していないスクロールリストから、算出した登録されているスクロールリストの数が多い前記撮像装置の順に、スクロールリストのグループ化と、スクロールタイミングの制御とを繰り返し行う、
付記２４に記載の制御方法。
【０１１４】
（付記２６）
スクロールリストのうち表示させる撮像画像が最多のスクロールリストのリスト長に合わせるように、他のスクロールリストのスクロール間隔を調整する、
付記２３または付記２５に記載の制御方法。
【０１１５】
（付記２７）
コンピュータにより、
複数の表示装置毎に設定された、複数の撮像装置の各々で撮像されてネットワーク上に配信される撮像画像を表示させる順番が予め定められたスクロールリストに基づいて、各撮像装置が登録されているスクロールリストの数を算出し、
算出された数のうち、最大の数に対応する特定の撮像装置を含むスクロールリストをグループ化し、該グループ内で前記特定の撮像装置のスクロールタイミングをスクロールリスト毎にずらして、前記特定の撮像装置の撮像画像のストリームについて前記ネットワーク上を連続して流れるように制御する、
ことを含む処理を実行させる制御方法。
【０１１６】
（付記２８）
さらに、未だグループ化していないスクロールリストから、前記算出部が算出した登録されているスクロールリストの数が多い前記撮像装置の順に、スクロールリストのグループ化と、スクロールタイミングの制御とを繰り返し行う、
付記２７に記載の制御方法。
【０１１７】
（付記２９）
スクロールリストのうち表示させる撮像画像が最多のスクロールリストのリスト長に合わせるように、他のスクロールリストのスクロール間隔を調整する、
付記２７または付記２８に記載の制御方法。
【符号の説明】
【０１１８】
１０  ＣＣＴＶシステム
１２  撮像装置
１４  ＣＣＴＶカメラ
２０  制御装置
２６  算出部
２８  タイミング制御部
３０  表示装置
３２  モニタ
５０  コンピュータ
５６  記憶部
６２  制御プログラム
【図１】
0006561510.tif 000002
【図２】
0006561510.tif 000003
【図３】
0006561510.tif 000004
【図４】
0006561510.tif 000005
【図５】
0006561510.tif 000006
【図６】
0006561510.tif 000007
【図７】
0006561510.tif 000008
【図８】
0006561510.tif 000009
【図９】
0006561510.tif 000010
【図１０】
0006561510.tif 000011